(57)【要約】      （修正有）【課題】有価媒体を有価媒体処理装置の出金部から出金する際に、通帳プリンタ等の通帳印字手段を用いることなく、リーダライタである記録部に記録媒体をかざすことによって、出金部から出金された有価媒体の、少なくとも出金に関する情報を記録媒体に電子的に記録させることができる有価媒体処理装置及び有価媒体処理方法を提供する。【解決手段】有価媒体処理装置は、有価媒体を収容する収容部と、有価媒体を出金するための出金部３１と、記録媒体に電子的に記録するリーダライタである記録部７５と、を備え、記録媒体は、出金部３１から出金された有価媒体の、少なくとも出金に関する情報を記録する機能を有する。【選択図】図１２
2018028930.tif 000002
【特許請求の範囲】
【請求項１】
有価媒体を収容する収容部と、
有価媒体を出金するための出金部と、
記録媒体に電子的に記録するリーダライタである記録部と、
を備え、
前記記録媒体は、前記出金部から出金された有価媒体の、少なくとも出金に関する情報を記録する機能を有する
ことを特徴とする、有価媒体処理装置。
【請求項２】
出金処理が終了した後に、前記記録部による前記記録媒体への当該情報の記録が行われない場合に、当該情報が記録されていない旨を報知する報知部を更に備えたことを特徴とする、請求項１に記載の有価媒体処理装置。
【請求項３】
出金処理が終了した後に、前記記録部による前記記録媒体への当該情報の記録が行われない場合に、当該情報を記憶する記憶部を更に備え、
前記記録部は、出金処理が終了した後において、前記記憶部に記憶された当該情報を前記記録媒体に記録可能となっていることを特徴とする、請求項１または２に記載の有価媒体処理装置。
【請求項４】
前記記録媒体を、前記記録部にかざすことで前記記録媒体に記録されている入金金額の一部または全部を出金可能となっていることを特徴とする、請求項１乃至３のいずれか１項に記載の有価媒体処理装置。
【請求項５】
前記記録媒体には表示部が設けられており、
少なくとも前記出金に関する情報が前記表示部に表示されることを特徴とする請求項１乃至４のいずれか１項に記載の有価媒体処理装置。
【請求項６】
前記記録部は、出金処理を行う者に関する情報を前記記録媒体に記録し、
前記記録媒体は当該情報を表示することを特徴とする、請求項５に記載の有価媒体処理装置。
【請求項７】
有価媒体処理装置の収容部に有価媒体を収容する工程と、
有価媒体を有価媒体処理装置の出金部から出金する工程と、
リーダライタである記録部に記録媒体をかざすことによって、前記出金部から出金された有価媒体の、少なくとも出金に関する情報を前記記録媒体に電子的に記録する工程と、
を備えた、有価媒体処理方法。
【発明の詳細な説明】
【技術分野】
【０００１】
本発明は、紙幣、硬貨、小切手、商品券、バーコードチケット、チップ、コイン等の有価媒体を処理する有価媒体処理装置及び有価媒体処理方法に関する。
【背景技術】
【０００２】
百貨店、スーパーマーケット等の小売店では、その出納室に入金機又は入出金機が設置されている。このような入金機又は入出金機には、施設内の直営店やテナント等の店舗で売り上げられた売上金が運ばれて入金されることとなる。また、入出金機の場合には、このような入金の他に、釣銭準備金を出金する際に利用される。
【０００３】
従来から、直営店及びテナント店が含まれる小売店の各レジスタの売上を精算する売上精算システムで用いられ、直営店及びテナント店によって共用される管理装置が知られている（特許文献１参照）。この特許文献１では、テナントによる入金の場合、セットされた通帳に入金金額を印字する通帳プリンタが開示されている。このような通帳プリンタを採用している場合には、通帳プリンタで印字された入金金額と予めジャーナル等に印字された売上金額とが合致しているか否かが入金者（入金処理を行う者）及び／又はその管理者によって目視で確認される。
【先行技術文献】
【特許文献】
【０００４】
【特許文献１】特許第３５５９６５２号
【発明の概要】
【発明が解決しようとする課題】
【０００５】
本発明は、有価媒体を有価媒体処理装置の出金部から出金する際に、通帳プリンタ等の通帳印字手段を用いることなく、リーダライタである記録部に記録媒体をかざすことによって、出金部から出金された有価媒体の、少なくとも出金に関する情報を記録媒体に電子的に記録させることができる有価媒体処理装置及び有価媒体処理方法を提供する。
【課題を解決するための手段】
【０００６】
本発明による有価媒体処理装置は、
有価媒体を収容する収容部と、
有価媒体を出金するための出金部と、
記録媒体に電子的に記録するリーダライタである記録部と、
を備え、
前記記録媒体は、前記出金部から出金された前記有価媒体の、少なくとも出金に関する情報を記録する機能を有する
ことを特徴とする。
【０００７】
本発明による有価媒体処理装置は、
出金処理が終了した後に、前記記録部による前記記録媒体への当該情報の記録が行われない場合に、当該情報が記録されていない旨を報知する報知部を更に備えていてもよい。
【０００８】
本発明による有価媒体処理装置は、
出金処理が終了した後に、前記記録部による前記記録媒体への当該情報の記録が行われない場合に、当該情報を記憶する記憶部を更に備え、
前記記録部は、前記出金処理が終了した後において、前記記憶部に記憶された当該情報を前記記録媒体に記録可能となっていてもよい。
【０００９】
本発明による有価媒体処理装置において、
前記記録媒体を、前記記録部にかざすことで前記記録媒体に記録されている入金金額の一部または全部を出金可能となっていてもよい。
【００１０】
本発明による有価媒体処理装置において、
前記記録媒体には表示部が設けられており、
少なくとも前記出金に関する情報が前記表示部に表示されてもよい。
【００１１】
本発明による有価媒体処理装置において、
前記記録部は、出金処理を行う者に関する情報を前記記録媒体に記録し、
前記記録媒体は当該情報を表示してもよい。
【００１２】
本発明の有価媒体処理方法は、
有価媒体処理装置の収容部に有価媒体を収容する工程と、
有価媒体を有価媒体処理装置の出金部から出金する工程と、
リーダライタである記録部に記録媒体をかざすことによって、前記出金部から出金された有価媒体の、少なくとも出金に関する情報を前記記録媒体に電子的に記録する工程と、
を備えたことを特徴とする。
【発明の効果】
【００１３】
本発明では、有価媒体を有価媒体処理装置の出金部から出金する際に、通帳プリンタ等の通帳印字手段を用いることなく、リーダライタである記録部に記録媒体をかざすことによって、出金部から出金された有価媒体の、少なくとも出金に関する情報を記録媒体に電子的に記録させることができる。
【図面の簡単な説明】
【００１４】
【図１】図１は、本発明の第１の実施の形態による有価媒体処理システムの全体構成の一例を示す概略図である。
【図２】図２は、本発明の第１の実施の形態による有価媒体処理システムの全体構成の別の例を示す概略図である。
【図３】図３は、本発明の第１の実施の形態による有価媒体処理装置の外観を示す斜視図である。
【図４】図４は、本発明の第１の実施の形態による有価媒体処理装置の内部構成を示す側方断面図である。
【図５】図５は、本発明の第１の実施の形態による有価媒体処理装置の制御ブロック図である。
【図６】図６は、本発明の第１の実施の形態による有価媒体処理システムで用いられる第一外部端末を示した概略図である。
【図７】図７（ａ）−（ｃ）は、本発明の第１の実施の形態による有価媒体処理システムで用いられる表示機能付き記録媒体を示した図である。
【図８】図８（ａ）−（ｅ）は、本発明の第１の実施の形態で用いられる表示機能付き記録媒体の媒体表示部で表示される内容の一例を示した図である。
【図９】図９（ａ）−（ｃ）は、本発明の第１の実施の形態で用いられる表示機能付き記録媒体の媒体表示部で表示される内容の別の例を示した図である。
【図１０】図１０（ａ）（ｂ）は、本発明の第１の実施の形態で用いられる表示機能付き記録媒体の媒体表示部で表示される内容のさらに別の例を示した図である。
【図１１】図１１は、本発明の第１の実施の形態による有価媒体処理システムで用いられる第二外部端末を示した概略図である。
【図１２】図１２は、本発明の第２の実施の形態による有価媒体処理装置の外観を示す斜視図である。
【図１３】図１３は、本発明の第２の実施の形態による有価媒体処理装置が備えた紙葉類処理部の内部構成を示す側方断面図である。
【図１４】図１４は、本発明の第２の実施の形態による有価媒体処理装置が備えた硬貨処理部の内部構成を示す側方断面図である。
【発明を実施するための形態】
【００１５】
第１の実施の形態
《構成》
以下、本発明に係る有価媒体処理装置、有価媒体処理システム及び有価媒体処理方法の第１の実施の形態について、図面を参照して説明する。ここで、図１乃至図１１は本発明の第１の実施の形態を説明するための図である。なお、本実施の形態では有価媒体処理装置として、紙幣、商品券等の紙葉類、並びに、硬貨を入金するための有価媒体入金機１００を用いて説明するが、これはあくまでも一例であり、有価媒体入出金機４００（後述する）、貨幣両替機等の様々な有価媒体処理装置を用いることができる点には留意が必要である。ところで、本願において、有価媒体とは、紙幣、硬貨、小切手、商品券、バーコードチケット、チップ、コイン等のことを意味し、本願において「貨幣」とは、硬貨、紙幣、並びに、硬貨及び紙幣の両方のことを意味する。
【００１６】
［全体のシステム構成］
まず、全体のシステム構成について説明する。
【００１７】
スーパーマーケットを例に取ると、図１に示すように、一般にスーパーマーケットには、商品を陳列した商品陳列棚等の商品陳列部２８０のある売り場と、売り場に併設されたレジコーナーとがある。このレジコーナーに、ＰＯＳレジスタ２５０と、ＰＯＳレジスタ２５０に接続された貨幣釣銭機２００が設置されている。この貨幣釣銭機２００は、硬貨を処理する硬貨釣銭機２１０と、紙幣を処理する紙幣釣銭機２２０と、を備えている。なお、硬貨釣銭機２１０と紙幣釣銭機２２０とは別体となっていてもよいが一体となっていてもよい。基本的には、ＰＯＳレジスタ２５０と貨幣釣銭機２００とが一対一の関係で設置されている。レジコーナーには、１組以上のＰＯＳレジスタ２５０と貨幣釣銭機２００が設置されており、図１に示した態様では４組のＰＯＳレジスタ２５０と貨幣釣銭機２００が設置されている。
【００１８】
上述した売り場及びレジコーナーから区切られた空間に出納室がある。この出納室内に、貨幣釣銭機２００から回収された紙幣、商品券、硬貨等の有価媒体の入金を行うための一つ又は複数の有価媒体入金機１００が設置されている。なお、有価媒体入金機１００に入金された紙幣、商品券、硬貨等の有価媒体は、例えば、警送会社によって回収されることとなる。ところで、出納室内には、上述した有価媒体入金機１００の代わりに又は有価媒体入金機１００に加えて、貨幣等の有価媒体を出金する出金部３１，５１（後述する）を備え、貨幣釣銭機２００から回収された有価媒体の入金を行だけではなく出金処理を行うこともできる一つ又は複数の有価媒体入出金機４００が設置されていてもよい。この有価媒体入出金機４００については、後述する第２の実施の形態で説明する。
【００１９】
次にショッピングセンターを例に取ると、図２に示すように、ショッピングセンターには、ショッピングセンターを経営する会社の権限下にある直営店と、ショッピングセンターを経営する会社以外の会社の権限下にあるテナント店とがある。直営店には、一組又は複数組のＰＯＳレジスタ２５０と貨幣釣銭機２００（より具体的には、硬貨釣銭機２１０及び紙幣釣銭機２２０）が設置されている。また、テナント店にも、一組又は複数組のＰＯＳレジスタ２５０と貨幣釣銭機２００が設置されている。なお、このような態様ではなく、複数のテナント店に対して一組又は複数組のＰＯＳレジスタ２５０と貨幣釣銭機２００が設置されることもある。このように複数のテナント店に対して一組又は複数組のＰＯＳレジスタ２５０と貨幣釣銭機２００が設置されている場合には、当該ＰＯＳレジスタ２５０と貨幣釣銭機２００は売り場から区切られた空間にある出納室内に設置されてもよい。更には、貨幣釣銭機２００が設置されていない店舗もあり（図２の右下のテナントを参照）、このような店舗では、貨幣はＰＯＳレジスタ２５０のドロア等に保管される。
【００２０】
上述したショッピングセンターの出納室に、貨幣釣銭機２００やＰＯＳレジスタ２５０のドロア等から回収された紙幣、商品券、硬貨等の有価媒体の入金を行うための一つ又は複数の有価媒体入金機１００が設置されている。ショッピングセンターにおいても、有価媒体入金機１００に入金された紙幣、商品券、硬貨等の有価媒体は、例えば、警送会社によって回収されて、金融機関に搬送されることとなる。ところで、ショッピングセンターの出納室内にも、上述した有価媒体入金機１００の代わりに又は有価媒体入金機１００に加えて、貨幣等の有価媒体を出金する出金部３１，５１（後述する）を備え、貨幣釣銭機２００から回収された有価媒体の入金を行だけではなく出金処理を行うこともできる一つ又は複数の有価媒体入出金機４００が設置されていてもよい。
【００２１】
［有価媒体入金機１００の構成］
次に、有価媒体入金機１００の構成について説明する。
【００２２】
図３に示すように、有価媒体入金機１００は筐体１１を有している。そして、有価媒体入金機１００を前面から見て筐体１１の右側に紙幣、商品券等の紙葉類を処理するための紙葉類処理部２０が位置している。また、有価媒体入金機１００を前面から見て筐体１１の左側に硬貨を処理するための硬貨処理部４０が位置している。また、有価媒体入金機１００の筐体１１の下部には、紙葉類及び硬貨を収容するための収容部６０が設けられている。
【００２３】
まず紙葉類処理部２０の構成について、図３及び図４を用いて説明する。なお、図４においては、紙葉類処理部２０の構成と硬貨処理部４０の構成を１枚の図面に表示するために、紙葉類処理部２０及び硬貨処理部４０の両者が前後に位置するように模式的に描かれていることには留意が必要である。紙葉類処理部２０は、入金する紙葉類を複数枚一括して受け入れ可能な紙葉類受入部２１と、紙葉類受入部２１で受け入れた紙葉類のうち後述する紙葉類識別部２５で識別できなかった紙葉類を返却するための紙葉類リジェクト部２９と、を有し、これらの紙葉類受入部２１及び紙葉類リジェクト部２９が筐体１１の前面上部の右側で上から順に設置されている。なお、紙葉類リジェクト部２９は前面が開放しており、外部から収容された紙葉類を取り出すことができるようになっている。
【００２４】
紙葉類処理部２０は、紙葉類受入部２１で受け入れられた紙葉類を筐体１１内に（図４の右方向へ向けて）１枚ずつ紙葉類を繰り出す紙葉類繰出部２２と、この紙葉類繰出部２２から１枚ずつ繰り出される紙葉類を受け入れて搬送する紙葉類搬送部２３と、この紙葉類搬送部２３により搬送される紙幣の金種、真偽、正損等や、商品券の番号等の識別を行う紙葉類識別部２５と、を有している。紙葉類識別部２５は紙葉類搬送部２３で搬送される紙幣、商品券等の紙葉類のイメージを取得するイメージセンサを有している。
【００２５】
紙葉類搬送部２３には、所定枚数（例えば１００枚）までの紙葉類を収容するための紙葉類スタッカ２８と、上述した紙葉類リジェクト部２９が連結されている。なお、紙葉類搬送部２３には、この紙葉類搬送部２３で搬送される紙葉類を適宜分岐する複数の紙葉類分岐部３９が設けられている。本実施の形態の紙葉類スタッカ２８にはシャッタ２８ａが設けられており、シャッタ２８ａが開状態になると外部から紙葉類スタッカ２８内に収納された紙葉類を取り出すことができ、他方、シャッタ２８ａが閉状態になると外部から紙葉類スタッカ２８内に収納された紙葉類を取り出すことができなくなる。
【００２６】
また、紙葉類搬送部２３には、紙葉類搬送部２３から送り込まれる紙葉類を一時的に保留する紙葉類一時保留部２６が連結されている。本実施の形態では、紙葉類一時保留部２６は、二つの紙葉類一時保留部２６ａ，２６ｂを有しており、より具体的には、前方側（図４の左側）に配置された第一紙葉類一時保留部２６ａと、後方側（図４の右側）に配置された第二紙葉類一時保留部２６ｂと、を有している。各紙葉類一時保留部２６は、その底面が開放可能となっている。そして、例えば操作表示部７１に表示された確定ボタンを押下することで入金金額等について承認されると、各紙葉類一時保留部２６の底面が開放され、その結果、第一紙葉類一時保留部２６ａに収納されている紙葉類は後述する第一紙葉類カセット６１ａに送り込まれ、第二紙葉類一時保留部２６ｂに収納されている紙葉類は後述する第二紙葉類カセット６１ｂに送り込まれることとなる。他方、例えば操作表示部７１に表示された非承認ボタンを押下したり一定時間にわたり確定ボタンを押下しないこと等によって入金金額等について非承認となったと紙葉類制御部３０（後述する）が判断すると、図示しないロックが解除されて、第一紙葉類一時保留部２６ａ内に収容された紙葉類を取り出すことができる。また、このようにロックが解除されることで、第一紙葉類一時保留部２６ａ、第二紙葉類一時保留部２６ｂ及び紙葉類スタッカ２８を一体として筐体１１から引き出すことができ、引き出した第二紙葉類一時保留部２６ｂを水平方向後方側（図４の右側）にスライドさせることで、第二紙葉類一時保留部２６ｂ内に収容された紙葉類を取り出すことができる。
【００２７】
上述した収容部６０は、開閉可能な開閉扉６３と、開閉扉６３の後方側に設けられた収容空間６２と、当該収容空間６２に対して着脱自在に設置され、紙葉類を収容するための紙葉類収容カセット６１と、当該収容空間６２に対して着脱自在に設置され、硬貨を収容するための硬貨収容カセット６６と、を有している。この紙葉類収容カセット６１は、第一紙葉類一時保留部２６ａで一時保留された紙葉類を収容することができる第一紙葉類カセット６１ａと、第二紙葉類一時保留部２６ｂで一時保留された紙葉類を収容することができる第二紙葉類カセット６１ｂと、を有している。開閉扉６３は閉状態でロックすることができるようになっている。
【００２８】
また、本実施の形態の紙葉類処理部２０は、例えばインクジェットプリンタ等からなる消し込み部７７を有している。この消し込み部７７は、商品券に例えば回収済みであることを示す所定の内容を印字するようになっている。なお、この消し込み部７７によって商品券に所定の内容を印字するか否かについては、操作表示部７１を操作することで切り換えることができるようになっている。
【００２９】
次に、硬貨処理部４０の構成について図３及び図４を用いて説明する。硬貨処理部４０は、入金する硬貨を受け入れる硬貨受入部４１と、硬貨受入部４１で受け入れた硬貨のうち後述する硬貨識別部４５で識別できなかった硬貨等をリジェクトするための硬貨リジェクト部４９と、硬貨受入部４１で受け入れた硬貨を収容する前に入金がキャンセルされた場合に当該硬貨を返却するための硬貨返却部４７と、を有している。
【００３０】
また、図４に示すように、硬貨処理部４０は、硬貨受入部４１で受け入れられた硬貨を筐体１１内に１枚ずつ繰り出す硬貨繰出部４２と、この硬貨繰出部４２から１枚ずつ繰り出される硬貨を受け入れて搬送する硬貨搬送部４３と、この硬貨搬送部４３により搬送される硬貨の金種、真偽、正損等の識別を行う硬貨識別部４５と、を有している。また、硬貨搬送部４３には、この硬貨搬送部４３で搬送される硬貨を適宜分岐する複数の硬貨分岐部５９が設けられている。また、硬貨搬送部４３には、硬貨分岐部５９で分岐されたリジェクト硬貨を案内するためのリジェクトシュート４９ａが設けられており、リジェクト硬貨は当該リジェクトシュート４９ａを落下して硬貨リジェクト部４９へと導かれる。
【００３１】
また、硬貨搬送部４３には、硬貨搬送部４３から送り込まれる硬貨を一時的に保留し、当該硬貨の収容時には硬貨を下方の収容部６０側に移動させ、他方、当該硬貨の返却時には硬貨を下方の硬貨返却部４７に移動させる硬貨一時保留部４６が連結されている。各硬貨一時保留部４６は、下面が開放した枠体と、枠体の下面を覆うようにして設けられた底板と、を有している。そして、例えば操作表示部７１に表示された確定ボタンを押下することで入金金額等について承認されると、枠体が硬貨収容カセット６６側へ移動して、硬貨一時保留部４６内の硬貨が硬貨収容カセット６６内に送り込まれる。他方、例えば操作表示部７１に表示された非承認ボタンを押下したり一定時間にわたり確定ボタンを押下しないこと等によって入金金額等について非承認となったと紙葉類制御部３０が判断すると、底板が水平方向に移動して、硬貨一時保留部４６内の硬貨が硬貨返却部４７に送り込まれる。なお、本実施の形態では、硬貨一時保留部４６が第一硬貨一時保留部４６ａと第二硬貨一時保留部４６ｂを有する態様となっているが、これはあくまでも一例であり、硬貨一時保留部４６は各金種に対応した複数（例えば６つ）の硬貨一時保留部を有していてもよい。そして、このように硬貨一時保留部４６が各金種に対応した複数（例えば６つ）の硬貨一時保留部を有している場合には、硬貨返却部４７も各金種に対応した複数（例えば６つ）の硬貨返却部を有していてもよい。
【００３２】
なお、硬貨リジェクト部４９の後方側（図４の右側）に硬貨返却部４７が設けられている。そして、上述したようにロックが解除されることで、これら硬貨リジェクト部４９及び硬貨返却部４７を一体として筐体１１から引き出すことができ、硬貨リジェクト部４９に収容された硬貨や硬貨返却部４７に返却された硬貨を取り出すことができるようになっている。
【００３３】
上述した硬貨収容カセット６６は、第一硬貨一時保留部４６ａで一時保留された硬貨を収容することができる第一硬貨収容カセット６６ａと、第二硬貨一時保留部４６ｂで一時保留された硬貨を収容することができる第二硬貨収容カセット６６ｂと、を有している。
【００３４】
本実施の形態では、操作表示部７１を操作することで、第１管理権限を有する者（例えば店舗の店員）によって紙葉類収容カセット６１に収容された紙葉類及び硬貨収容カセット６６に収容された硬貨を回収することができる第１モードと、第２管理権限を有する者（例えば警装会社の社員）によって紙葉類収容カセット６１に収容された紙葉類及び硬貨収容カセット６６に収容された硬貨を回収することができる回収することができる２モードとを、適宜切り換えることができるようになっていてもよい。
【００３５】
上述した紙葉類収容カセット６１に収容された紙幣、商品券等の紙葉類と、硬貨収容カセット６６に収容された硬貨が、例えば警送会社によって回収されて、金融機関に搬送されることとなる。ところで、上述した紙葉類受入部２１及び紙葉類繰出部２２、並びに、硬貨受入部４１及び硬貨繰出部４２が、特許請求の範囲の「入金部」としての役割を果たす。
【００３６】
図３に示すように、有価媒体入金機１００は、筐体１１の上方に設置され、タッチパネル等からなり、様々な情報を表示するとともに入金者等の操作者からの入力を受け付ける操作表示部７１と、正面側から見た場合に当該操作表示部７１の右側に設置され、様々な情報を表示機能付き記録媒体３００に記録するとともに表示機能付き記録媒体３００に記録された情報を読み取る記録読取部７５と、記録読取部７５の下方に設けられ、表示機能付き記録媒体３００を載置するための載置台７６と、を備えている。記録読取部７５が表示機能付き記録媒体３００に紙葉類収容カセット６１に収容された紙葉類の入金金額及び硬貨収容カセット６６に収容された硬貨の入金金額に関する情報を記録する場合には、表示機能付き記録媒体３００は、例えばこれらの入金金額の合計を表示するようになっている（図８（ａ）参照）。なお、本実施の形態の「記録読取部」が特許請求の範囲に記載された「記録部」の役割を果たし、本実施の形態の「操作表示部」が特許請求の範囲に記載された「表示部」の役割を果たすこととなる。本実施の形態の操作表示部７１は、表示機能付き記録媒体３００に表示される情報と同じ情報を少なくとも表示するようになっていてもよい。
【００３７】
記録読取部７５は例えばリーダライタであり、記録読取部７５に表示機能付き記録媒体３００をかざすことで、表示機能付き記録媒体３００に情報を記録することができる。また、表示機能付き記録媒体３００に新たな情報（例えば今回の取引における入金金額を含む情報）を記録することで、表示機能付き記録媒体３００に表示されていた古い情報（例えば前回の取引における入金金額を含む情報）が当該新たな情報に書き換えられてもよいし、所定の容量になるまで順に表示機能付き記録媒体３００に書き加えられるようになってもよい。なお、表示機能付き記録媒体３００に記録される情報量は当該表示機能付き記録媒体３００の容量によって決まる。但し、表示機能付き記録媒体３００の容量が小さいものであれば導入コストを抑えることができるが、表示機能付き記録媒体３００の容量が大きいものとなると高い導入コストを要することとなる。
【００３８】
図５に示すように、有価媒体入金機１００は、識別情報（識別辞書）、分類パターン等の様々な情報を記憶する記憶部８０と、パソコン等の外部装置との接続に用いられるインターフェース９０と、紙葉類処理部２０を制御する紙葉類制御部３０と、硬貨処理部４０を制御する硬貨制御部５０と、有価媒体入金機１００全体を制御する本体制御部７０と、を備えている。そして、本体制御部７０に、操作表示部７１、記録読取部７５、記憶部８０、インターフェース９０、紙葉類制御部３０及び硬貨制御部５０の各々が接続されている。また、紙葉類制御部３０には、紙葉類識別部２５、紙葉類搬送部２３、紙葉類操出部２２、紙葉類分岐部３９、紙葉類リジェクト部２９、紙葉類一時保留部２６、紙葉類スタッカ２８等が接続されている。また、硬貨制御部５０には、硬貨搬送部４３、硬貨識別部４５、硬貨操出部４２、硬貨一時保留部４６、硬貨分岐部５９、硬貨返却部４７、硬貨リジェクト部４９等が接続されている。本体制御部７０は当該本体制御部７０に接続された各構成要素から情報を取得したり指令を与えたりするようになり、紙葉類制御部３０は当該紙葉類制御部３０に接続された各構成要素から情報を取得したり指令を与えたりするようになり、硬貨制御部５０は当該硬貨制御部５０に接続された各構成要素から情報を取得したり指令を与えたりするようになっている。
【００３９】
本実施の形態の有価媒体入金機１００は、図５に示すように、回収元である売り場の管理者やテナント店のオーナー等が管理するメールアドレス等の予め設定されたアドレスに所定の情報を送信する送信部８１を備えていてもよい。なお、本実施の形態で「所定の情報」とは、後述する、入金金額、入金日及び／又は入金時刻、認証情報、入金予定金額及び／又は入金予定金額と入金金額との差額に関する情報のいずれか１つ以上の情報である。
【００４０】
ところで、記録読取部７５による表示機能付き記録媒体３００への記録の有無が、入金される有価媒体の回収元に応じて変更されてもよい。一例としては、ショッピングセンター（図２参照）内に設置された直営店である場合等のように有価媒体の回収元が所定の権限下にある場合に、記録読取部７５による表示機能付き記録媒体３００への記録は行われず、ショッピングセンター内に設置されたテナント店である場合等のように有価媒体の回収元が所定の権限下にない場合に、記録読取部７５による表示機能付き記録媒体３００への記録が行われるようにしてもよい。この場合は、予め設定された実行パターンが記憶部８０に記憶されている。
【００４１】
本実施の形態の有価媒体入金機１００は、入金処理が終了した後の所定時間の間に、記録読取部７５による表示機能付き記録媒体３００への所定の情報の記録が行われない場合に、当該情報が記録されていない旨を報知する報知部を備えていてもよい。本実施の形態では、上述した操作表示部７１がこの報知部としての役割を果たしてもよい。操作表示部７１が報知部としての役割を果たす場合には、入金処理が終了した後の所定時間の間に、記録読取部７５による表示機能付き記録媒体３００への所定の情報の記録が行われない場合に、「表示機能付き記録媒体への記録を行って下さい」というような警告メッセージが操作表示部７１に表示されるようにしてもよい。
【００４２】
本実施の形態の有価媒体入金システムは、図６に示すような、表示機能付き記録媒体３００に売上金額に関する情報を記録させる外部記録部２６１を有する第一外部端末２６０を備えていてもよい。当該第一外部端末２６０は、スーパーマーケットのＰＯＳレジスタ２５０及び貨幣釣銭機２００の近傍やショッピングセンターのＰＯＳレジスタ２５０及び貨幣釣銭機２００の近傍等に設置されてもよい。また、この第一外部端末２６０は、ＰＯＳレジスタ２５０又は貨幣釣銭機２００に設置され、ＰＯＳレジスタ２５０又は貨幣釣銭機２００と一体になっていてもよい。外部記録部２６１は、例えばリーダライタからなり、表示機能付き記録媒体３００に売上金額に関する情報を記録させるだけではなく、表示機能付き記録媒体３００に記録された情報を読み取る外部記録読取部であってもよい。
【００４３】
なお、このような第一外部端末２６０で売上金額に関する情報が表示機能付き記録媒体３００に記録されている場合には、有価媒体入金機１００の本体制御部７０が、表示機能付き記録媒体３００に記録された売上金額と有価媒体入金機１００に入金された入金金額とを比較し、操作表示部７１が、これらが整合しているか否かを表示し、また、整合していない場合にはその差額を表示するようにしてもよい。
【００４４】
［表示機能付き記録媒体３００での記録態様及び表示態様］
次に、記録読取部７５で表示機能付き記録媒体３００に記録される情報や、当該表示機能付き記録媒体３００で表示される情報について説明する。なお、表示機能付き記録媒体３００は、様々な情報を表示する媒体表示部３１０（図７参照）を有しており、当該媒体表示部３１０で後述する情報が表示されることとなる。媒体表示部３１０の大きさは様々なものが考えられ、図７（ａ）に示すように非常に小さく、例えば入金金額等の一度に一つの情報しか表示できないタイプ、図７（ｂ）に示すように中程度の大きさであり、複数の情報を一度に表示できるタイプ、図７（ｃ）に示すように表示機能付き記録媒体３００の全体にわたる大きさとなっており、より多くの情報を一度に表示できるタイプ等を例としてあげることができる。一般には、媒体表示部３１０の大きさ大きいほどコストが高くなり、上述したタイプで言うと、図７（ａ）に示したタイプのものを採用した場合には最も低いコストで導入することができ、図７（ｃ）に示したタイプのものを採用した場合には最も高いコストを導入に要することとなる。
【００４５】
記録読取部７５は、入金金額の他に、入金日及び／又は入金時刻に関する情報を表示機能付き記録媒体３００に記録してもよい。この場合には、表示機能付き記録媒体３００の媒体表示部３１０は、入金金額の他に、記録読取部７５で記録された入金日及び／又は入金時刻を表示することとなる。なお、図８（ｂ）では、媒体表示部３１０が入金金額及び入金日を表示する態様を示し、図８（ｃ）では、媒体表示部３１０が入金金額、入金日及び入金時刻を表示する態様を示している。
【００４６】
また、記録読取部７５は、入金金額の他に、入金される有価媒体の回収元及び／又は入金者に関する認証情報を表示機能付き記録媒体３００に記録してもよい。この場合には、表示機能付き記録媒体３００の媒体表示部３１０は、入金金額の他に、記録読取部７５で記録された認証情報を表示することとなる。なお、図８（ｄ）では、媒体表示部３１０が入金金額及び有価媒体の回収元（図８（ｄ）（ｅ）では「テナントＮｏ．」）を表示する態様を示し、図８（ｅ）では、媒体表示部３１０が入金金額、回収元及び入金者（図８（ｅ）では「担当者Ｎｏ．」）を表示する態様を示している。
【００４７】
また、記録読取部７５は、入金金額の他に、入金予定金額及び／又は入金予定金額と入金金額との差額に関する情報を表示機能付き記録媒体３００に記録してもよい。この場合には、表示機能付き記録媒体３００の媒体表示部３１０は、入金金額の他に、入金予定金額及び／又は入金予定金額と入金金額との差額を表示することとなる。なお、入金予定金額とは、貨幣釣銭機２００から回収された売上金の合計金額であり、図９（ａ）（ｂ）では「伝票」として表示されている。ところで、図９（ａ）では、媒体表示部３１０が入金金額及び入金予定金額を表示する態様を示し、図９（ｂ）では、媒体表示部３１０が入金金額、入金予定金額及び入金予定金額と入金金額との差額を表示する態様を示している。
【００４８】
ところで、入金金額については、合計金額を表示するだけでなく、金種別枚数を表示するようにしてもよい。図９（ｃ）では、媒体表示部３１０に、金種別枚数と金種毎の合計金額が示されている。また、媒体表示部３１０に表示される入金金額としては、商品券による入金金額が貨幣による入金金額と別に表示されてもよく、この場合には、商品券の枚数、金額別枚数、発行元別枚数等も表示されてもよい。
【００４９】
なお、記録読取部７５が表示機能付き記録媒体３００に記録する情報は適宜組み合わされてもよい。つまり、記録読取部７５は、入金金額のみを表示機能付き記録媒体３００に記録してもよいが、記録読取部７５は、入金金額の他に、入金日及び／又は入金時刻、認証情報、並びに、入金予定金額及び／又は入金予定金額と入金金額との差額のうちのいずれか１つ以上を表示機能付き記録媒体３００に記録してもよい。より具体的には、既に述べている態様に加え、記録読取部７５は、入金金額の他に、入金日及び／又は入金時刻並びに認証情報、入金日及び／又は入金時刻並びに入金予定金額及び／又は入金予定金額と入金金額との差額、認証情報並びに入金予定金額及び／又は入金予定金額と入金金額との差額、並びに、入金日及び／又は入金時刻、認証情報並びに入金予定金額及び／又は入金予定金額と入金金額との差額の全てを、表示機能付き記録媒体３００に記録してもよい。ところで、記録読取部７５が表示機能付き記録媒体３００に記録する情報としては、必ずしも入金金額が含まれる必要はなく、記録読取部７５は、入金金額、入金日及び／又は入金時刻、認証情報、並びに、入金予定金額及び／又は入金予定金額と入金金額との差額のうちのいずれか１つ以上を表示機能付き記録媒体３００に記録してもよい。
【００５０】
また、表示機能付き記録媒体３００の媒体表示部３１０で表示される情報も適宜組み合わされてもよい。つまり、媒体表示部３１０は、入金金額のみを表示してもよいが、媒体表示部３１０は、入金金額の他に、入金日及び／又は入金時刻、認証情報、並びに、入金予定金額及び／又は入金予定金額と入金金額との差額のうちのいずれか１つ以上を表示してもよい。より具体的には、既に述べている態様に加え、媒体表示部３１０は、入金金額の他に、入金日及び／又は入金時刻並びに認証情報、入金日及び／又は入金時刻並びに入金予定金額及び／又は入金予定金額と入金金額との差額、認証情報並びに入金予定金額及び／又は入金予定金額と入金金額との差額、並びに、入金日及び／又は入金時刻、認証情報並びに入金予定金額及び／又は入金予定金額と入金金額との差額の全てを、表示してもよい。ところで、媒体表示部３１０が表示する情報としても、必ずしも入金金額が含まれる必要はなく、媒体表示部３１０は、入金金額、入金日及び／又は入金時刻、認証情報、並びに、入金予定金額及び／又は入金予定金額と入金金額との差額のうちのいずれか１つ以上を表示してもよい。ちなみに、図１０（ａ）では、媒体表示部３１０が入金金額、入金日、有価媒体の回収元を表示する態様を示し、図１０（ｂ）では、媒体表示部３１０が入金金額、入金日、有価媒体の回収元、入金者、入金予定金額及び入金予定金額と入金金額との差額を表示する態様を示している。また、図１０（ｂ）に示した態様では、図９（ｃ）に示した態様と同様、金種別枚数と金種毎の合計金額も表示されている。
【００５１】
ところで、媒体表示部３１０で一度に全ての情報を表示することができない場合には、表示機能付き記録媒体３００に設置されたボタン等を押下することで媒体表示部３１０に表示されている内容をスクロールさせることで、媒体表示部３１０で表示されるべき全ての情報を視認できるようにしてもよい。
【００５２】
記録読取部７５は、表示機能付き記録媒体３００に、一取引に対する情報のみを記録してもよいが、複数の取引に対する情報を記録してもよい。このように複数の取引に対する情報を表示機能付き記録媒体３００に記録する場合には、媒体表示部３１０は、直近の取引に対する情報のみではなく、それ以外の過去の取引に対する情報を表示することができるようになっていてもよい。そして、一度に複数の取引に対する情報を表示することができるようになっていてもよいが、一度に一取引に対する情報のみが表示され、画面をスクロール等することで他の取引に対する情報が表示されるようにしてもよい。このように過去の取引に関する情報を表示機能付き記録媒体３００が表示できる場合には、入金者、管理者等が手軽に過去の取引に関する情報を視認することができる点で有益である。なお、「一取引に対する情報」とは、当該取引における、入金金額、入金日及び／又は入金時刻、認証情報、並びに、入金予定金額及び／又は入金予定金額と入金金額との差額のうちのいずれか１つ以上の情報である。このように複数の取引に対する情報が表示機能付き記録媒体３００に記録されている場合には、例えば新しい取引に対する情報が表示機能付き記録媒体３００に記録される度に、最も古い取引に対する情報が自動的に記録媒体３００から消去される態様を採用することもできる。
【００５３】
表示機能付き記録媒体３００は、入金される有価媒体の回収元及び／又は入金者に関する認証情報を記録していてもよい。この場合には、記録読取部７５が、表示機能付き記録媒体３００に記録された認証情報を読み取ることができ、操作表示部７１から入金者がこれら回収元及び／又は入金者に関する情報を入力する手間や認証専用の記録媒体が必要なくなる点で有益である。この場合には、例えば、表示機能付き記録媒体３００を載置台７６に載置することにより、表示機能付き記録媒体３００から認証情報が読み取られて認証処理が行われるとともに、入金処理後に、入金情報が表示機能付き記録媒体３００に記録されることになる。
【００５４】
ところで表示機能付き記録媒体３００に記録されている情報と表示機能付き記録媒体３００の媒体表示部３１０で表示される情報は必ずしも一致している必要はない。例えば媒体表示部３１０には一取引の情報しか表示されない場合であっても表示機能付き記録媒体３００には複数の取引の情報が記録されていてもよい。
【００５５】
図５に示す記憶部８０は、入金処理が終了した後の所定時間の間に、記録読取部７５による表示機能付き記録媒体３００への入金金額に関する情報の記録が行われない場合に、当該入金金額に関する情報を記憶保存してもよい。この場合には、仮に入金処理が終了した際に表示機能付き記録媒体３００への書き込みを忘れ、出納室を一旦離れた後であっても、記録読取部７５に入金処理時と同一の表示機能付き記録媒体３００をかざして所定の操作を行うことにより、記憶部８０に記憶された入金金額に関する情報を当該表示機能付き記録媒体３００に記録することができる。なお、記憶部８０は、入金処理が終了した後の所定時間の間に記録読取部７５による表示機能付き記録媒体３００への入金金額に関する情報の記録が行われない場合に限られず、随時、入金金額に関する情報を記憶してもよい。この記憶部８０に記憶されている情報は表示機能付き記録媒体３００に記録された段階で消去されてもよいが、所定の期間が経過した後（例えば１年経過した後）で自動で消去されるようになっていてもよい。
【００５６】
本実施の形態の有価媒体入金システムは、表示機能付き記録媒体３００に記録された情報を取得する第二外部端末２７０（図１１参照）を備えていてもよい。図１１に示すように、この第二外部端末２７０は、例えば、表示機能付き記録媒体３００に記録された所定の情報を取得することができる外部読取部２７１と、外部読取部２７１から取得された情報を集計したり編集したりして加工することができるパソコン等の外部処理装置２７２と、を有してもよい。第二外部端末２７０は、例えばテナントの事務所に設置されてもよいし、スーパーマーケットのＰＯＳレジスタ２５０及び貨幣釣銭機２００の近傍やショッピングセンターのＰＯＳレジスタ２５０及び貨幣釣銭機２００の近傍等に設置されてもよい。第二外部端末２７０が外部処理装置２７２を有している場合のように外部読取部２７１から取得された情報を集計したり編集したりして加工することができるときには、第二外部端末２７０で、月次集計を行ったり複数店舗分の集計を行ったりすることができる。また、第二外部端末２７０は、情報を一括して管理する本店や管理センターに所定の情報を送信することができるようになっていてもよい。なお、第二外部端末２７０は、外部読取部２７１の代わりに、表示機能付き記録媒体３００に記録された情報を取得するだけでなく、表示機能付き記録媒体３００に情報を記録することもできる外部読取記録部を備えていてもよい。
【００５７】
ところで、図７（ａ）−（ｃ）では表示機能付き記録媒体３００として表示機能付きＩＣカードのような形態を用いて説明しているが、このような態様に限られることはなく、表示機能付き記録媒体３００として、スマートフォンを含む携帯電話、タブレット端末等を用いることもできる。
【００５８】
《方法》
本実施の形態の有価媒体入金機１００又は有価媒体入金システムにおいて、表示機能付き記録媒体３００に所定の情報を記録し、当該表示機能付き記録媒体３００に所定の情報を表示させるまでの工程について、以下説明する。
【００５９】
例えば営業時間が終了したり一定の時刻なったりすると、各貨幣釣銭機２００から売上金が回収される（図１及び図２参照）。このように売上金が回収される際には、ＰＯＳレジスタ２５０から売上金に関する情報が印字されたジャーナルが打ち出される。ちなみに、顧客が商品券を用いて支払った場合には当該商品券も例えばドロアから回収され、当該商品券に関する情報もジャーナルに打ち込まれる。なお、本実施の形態において、上述した第一外部端末２６０（図６参照）を採用した場合には、外部記録部２６１によって、表示機能付き記録媒体３００に商品券の情報を含む売上金額に関する情報が記録され、ジャーナルは不要となる。
【００６０】
回収された紙幣、商品券等の紙葉類及び硬貨は出納室内にある有価媒体入金機１００まで運ばれる（図１及び図２参照）。そして、当該有価媒体入金機１００において、紙幣、商品券等の紙葉類及び硬貨の入金処理が行われる。
【００６１】
より具体的には、まず、操作表示部７１から入金される有価媒体の回収元又は入金者（入金処理を行う者）に関する認証情報が入力される（図３参照）。なお、表示機能付き記録媒体３００に入金される有価媒体の回収元又は入金者に関する認証情報が記録されている場合には、この際に、入金者によって表示機能付き記録媒体３００が載置台７６に載置され、記録読取部７５で表示機能付き記録媒体３００に記録された認証情報が読み取られることとなり、認証情報の入力は不要となる。
【００６２】
次に、紙幣、商品券等の紙葉類が紙葉類受入部２１に載置され、硬貨が硬貨受入部４１に載置される。そして、入金者が操作表示部７１に表示された入金開始ボタンを押下することで、紙葉類受入部２１に載置された紙幣、商品券等の紙葉類が紙葉類繰出部２２によって筐体１１内に繰り出され、硬貨受入部４１に載置された硬貨が硬貨繰出部４２によって筐体１１内に繰り出される（図４参照）。紙葉類繰出部２２によって筐体１１内に繰り出された紙幣、商品券等の紙葉類は、紙葉類識別部２５による識別を経て、紙葉類識別部２５で正常に識別されれば、紙葉類スタッカ２８及び紙葉類一時保留部２６のいずれかに搬送される。この際には、スタッカ２８にシャッタ２８ａは閉じられている。一例としては、紙幣が第二紙葉類一時保留部２６ｂで一時的に保留され、商品券が第一紙葉類一時保留部２６ａで一時的に保留される。別の例としては、紙幣が第一紙葉類一時保留部２６ａ及び第二紙葉類一時保留部２６ｂで一時的に保留され、商品券が紙葉類スタッカ２８で一時的に保留される。さらに別の例としては、商品券が第一紙葉類一時保留部２６ａ及び第二紙葉類一時保留部２６ｂで一時的に保留され、紙幣が紙葉類スタッカ２８で一時的に保留される。さらに別の例としては、紙幣のうち釣銭準備金が第一紙葉類一時保留部２６ａで一時的に保留され、紙幣のうち売上金が第二紙葉類一時保留部２６ｂで一時的に保留される。他方、硬貨繰出部４２によって筐体１１内に繰り出された硬貨は硬貨識別部４５による識別を経て、硬貨識別部４５で正常に識別されれば、硬貨一時保留部４６に搬送される。なお、硬貨についても、硬貨のうち釣銭準備金が第一硬貨一時保留部４６ａで一時的に保留され、硬貨のうち売上金が第二硬貨一時保留部４６ｂで一時的に保留されてもよい。
【００６３】
なお、紙葉類識別部２５で識別できない紙葉類は紙葉類搬送部２３で紙葉類リジェクト部２９まで搬送されて筐体１１から外部に繰り出され、硬貨識別部４５で識別できない硬貨はリジェクトシュート４９ａを落下して硬貨リジェクト部４９へと導かれる。
【００６４】
上述のような工程を経た後で、一時的に保留された紙幣及び硬貨の金種別枚数や、商品券の枚数、金額別枚数、発行元別枚数等が操作表示部７１に表示される（図３参照）。そして、その表示を視認した入金者によって、操作表示部７１に表示された確定ボタンが押下される。このように確定ボタンが押下されると、一時的に保留された紙幣、商品券等の紙葉類は紙葉類収容カセット６１に収容され、一時的に保留された硬貨は硬貨収容カセット６６に収容されて、入金処理が終了されることなる。
【００６５】
このように入金処理が終了されると、記録読取部７５によって、紙葉類収容カセット６１に収容された紙幣、商品券等の紙葉類の入金金額、並びに、硬貨収容カセット６６に収容された硬貨の入金金額が、表示機能付き記録媒体３００に記録される。その結果、表示機能付き記録媒体３００は、紙葉類収容カセット６１に収容された紙幣、商品券等の紙葉類の入金金額、並びに、硬貨収容カセット６６に収容された硬貨の入金金額を表示することとなる（図８（ａ）参照）。
【００６６】
また、このように入金処理が終了した際に、記録読取部７５によって、入金日及び／又は入金時刻に関する情報が表示機能付き記録媒体３００に記録されてもよい。この場合には、表示機能付き記録媒体３００は、入金日及び／又は入金時刻を表示することとなる（図８（ｂ）（ｃ）参照）。
【００６７】
また、このように入金処理が終了した際に、記録読取部７５によって、入金される有価媒体の回収元及び／又は入金者に関する認証情報が表示機能付き記録媒体３００に記録されてもよい。この場合には、表示機能付き記録媒体３００は、当該認証情報を表示することとなる（図８（ｄ）（ｅ）参照）。
【００６８】
また、このように入金処理が終了した際に、記録読取部７５によって、入金予定金額及び／又は入金予定金額と入金金額との差額に関する情報が表示機能付き記録媒体３００に記録されてもよい。この場合には、表示機能付き記録媒体３００は、入金予定金額及び／又は入金予定金額と入金金額との差額を表示することとなる（図９（ａ）（ｂ）参照）。
【００６９】
なお、有価媒体入金機１００が上述した送信部８１（図５参照）を備えている場合には、入金処理が終了した際に、予め設定されたアドレスに入金金額に関する情報を送信されることとなる。
【００７０】
ところで、このような記録読取部７５による表示機能付き記録媒体３００への記録が必ずしも行われる必要はなく、例えば、記録読取部７５による表示機能付き記録媒体３００への記録の有無が入金される有価媒体の回収元に応じて変更されてもよい。具体的な例を挙げるならば、ショッピングセンター（図２参照）内に設置された直営店である場合等のように有価媒体の回収元が所定の権限下にある場合には、記録読取部７５による表示機能付き記録媒体３００への記録は行われず、ショッピングセンター内に設置されたテナント店である場合等のように有価媒体の回収元が所定の権限下にない場合のみに、記録読取部７５による表示機能付き記録媒体３００への記録が行われるようにしてもよい。
【００７１】
入金処理が終了する前に入金者によって表示機能付き記録媒体３００が載置台７６に載置されることが好ましいが、入金処理が終了したにもかかわらず、表示機能付き記録媒体３００が載置台７６に載置されておらず、入金処理が終了した後の所定時間の間（例えば数分の間）に記録読取部７５による表示機能付き記録媒体３００への所定の情報の記録が行われない場合には、報知部としての操作表示部７１に、当該所定の情報が記録されていない旨が表示され、警告されてもよい。この場合には、例えば「カードをかざして下さい」というような警告文が操作表示部７１に表示されてもよい。
【００７２】
このように入金処理が終了した後の所定時間の間（例えば数分の間）に記録読取部７５による表示機能付き記録媒体３００への所定の情報の記録が行われない場合には、記憶部８０で当該所定の情報を記憶するようにしてもよい。当該情報が記憶部８０で記憶されている際には、後々、例えば入金者が表示機能付き記録媒体３００へ情報が記録されていないことに気づいて戻って来た際や、表示機能付き記録媒体３００が複数の取引に対する所定の情報を表示できる場合には次の入金処理を行う際（次の入金情報吸い上げ時を含む。）等に、記憶部８０から表示機能付き記録媒体３００に記録されていない所定の情報が読み出され、記録読取部７５によって表示機能付き記録媒体３００に当該情報が記録されてもよい。この場合には、このように表示機能付き記録媒体３００に所定の情報を記録する前に、表示機能付き記録媒体３００に所定の情報の記録を行うかが操作表示部７１を介して入金者に問いかけられ、入金者が記録する旨のボタンを押下することではじめて表示機能付き記録媒体３００に所定の情報が記録されるようになってもよい。ところで、このような記憶部８０への記憶は、記録読取部７５による表示機能付き記録媒体３００への所定の情報の記録が行われない場合に限られず随時行われてもよいのは既に述べたとおりである。但し、入金処理が終了した後の所定時間の間（例えば数分の間）に記録読取部７５による表示機能付き記録媒体３００への所定の情報の記録が行われない場合に限って記憶部８０で当該所定の情報を記憶する態様とすることで、記憶部８０で記憶しなければならない情報の量を少なくすることができる点では有益である。ちなみに、入金処理が終了した後の所定時間の間（例えば数分の間）に記録読取部７５による表示機能付き記録媒体３００への所定の情報の記録が行われない場合には、操作表示部７１は待機画面に戻り、次の入金者の処理を受け付けるようになってもよい。
【００７３】
上述したように表示機能付き記録媒体３００に所定の情報が記録されると、操作表示部７１に所定の情報の記録が完了したことが表示される。このように表示機能付き記録媒体３００に所定の情報が記録されると、表示機能付き記録媒体３００の媒体表示部３１０の表示内容も当該所定の情報に書き換わる。
【００７４】
所定の情報が記録された表示機能付き記録媒体３００は入金者によって持ち帰られ、例えば管理者による確認を受けることとなる。なお、上述した第二外部端末２７０（図１１参照）を採用した場合には、当該第二外部端末２７０の外部読取部２７１によって表示機能付き記録媒体３００に記録された所定の情報が吸い上げられ、外部処理装置２７２で集計されたり編集されたり加工されることとなる。
【００７５】
《効果》
次に、上述した構成からなる本実施の形態によって達成される効果であって、まだ述べていない効果又はとりわけ重要な効果について説明する。
【００７６】
本実施の形態の一態様では、記録読取部７５によって、紙葉類収容カセット６１に収容された紙幣、商品券等の紙葉類の入金金額、並びに、硬貨収容カセット６６に収容された硬貨の入金金額が、表示機能付き記録媒体３００に記録される。そして、表示機能付き記録媒体３００は、紙葉類収容カセット６１に収容された紙幣、商品券等の紙葉類の入金金額、並びに、硬貨収容カセット６６に収容された硬貨の入金金額を表示する（図８（ａ）参照）。このため、特許文献１に開示される従来技術のように通帳プリンタ等の通帳印字手段を用いることなく、入金者及びその管理者が、紙葉類収容カセット６１及び硬貨収容カセット６６に収容された有価媒体の入金金額を視認することができる。
【００７７】
このため、本実施の形態によれば、紙葉類収容カセット６１及び硬貨収容カセット６６に収容された有価媒体の入金金額を視認することができるという効果を得つつ、通帳プリンタ等の通帳印字手段を用いた場合における不都合、例えば（１）通帳印字手段を導入するためのコスト及び設置スペースが必要となること、（２）テナントに対して通帳を手配したり補充したりする必要があり、小売店としては手間がかかりテナントとしてはコストがかかってしまうこと、（３）通帳印字手段における紙詰まり等のトラブル対応やインク補充等のメンテナンスが必要となり、この点でも小売店に手間とコストがかかってしまうこと、（４）通帳印字手段で通帳を処理する際に時間（例えば、通帳の読み取り、通帳への印字、通帳の排出等に時間）がかかってしまうこと等、を解消することができる。
【００７８】
また、記録読取部７５が、入金日及び／又は入金時刻に関する情報を表示機能付き記録媒体３００に記録し、表示機能付き記録媒体３００が入金日及び／又は入金時刻を表示する態様を採用した場合には（図８（ｂ）（ｃ）参照）、入金者及びその管理者が入金日及び／又は入金時刻も視認することができる。このため、とりわけ管理者が、適切な日時で入金が行われたかを表示機能付き記録媒体３００を見るだけで確認することができる。
【００７９】
また、記録読取部７５が、入金される有価媒体の回収元及び／又は入金者に関する認証情報を表示機能付き記録媒体３００に記録し、表示機能付き記録媒体３００が当該認証情報を表示する態様を採用した場合には（図８（ｄ）（ｅ）参照）、入金者及びその管理者が回収元及び／又は入金者も視認することができる。このため、入金者及びその管理者は、回収元及び／又は入金者に関する情報が正しいものとなっているかを、表示機能付き記録媒体３００を見るだけで確認することができる。
【００８０】
記録読取部７５が、入金予定金額（つまり、貨幣釣銭機２００から回収された売上金の合計金額）及び／又は入金予定金額と入金金額との差額に関する情報を表示機能付き記録媒体３００に記録し、表示機能付き記録媒体３００が入金予定金額及び／又は入金予定金額と入金金額との差額を表示する態様を採用した場合には（図９（ａ）（ｂ）参照）、入金者及びその管理者が入金予定金額及び／又は入金予定金額と入金金額との差額を視認することができる。このため、入金者及びその管理者は、貨幣釣銭機２００から回収された売上金の合計金額と有価媒体入金機１００に実際に入金された金額とが合致しているか、また合致していない場合にはその差額を、表示機能付き記録媒体３００を見るだけで確認することができる。なお、図９（ｃ）及び図１０（ｂ）に示すように、入金金額に関して、金種別枚数と金種毎の合計金額が媒体表示部３１０に表示される場合には、金種毎の枚数及び合計金額に関する情報も確認することができる。
【００８１】
なお、操作表示部７１が表示機能付き記録媒体３００に表示される情報と同じ情報を表示する場合には、入金者は入金処理を行う際に表示機能付き記録媒体３００に表示される情報を予め確認することができる点で有益である。なお、この場合には、表示機能付き記録媒体３００に上述したような所定の情報（入金金額、入金日及び／又は入金時刻、認証情報、入金予定金額及び／又は入金予定金額と入金金額との差額に関する情報）が表示されることについては、特に管理者にとって重要な意義を持つこととなる。
【００８２】
また、有価媒体入金機１００が回収元である売り場の管理者やテナント店のオーナー等が管理するメールアドレス等の予め設定されたアドレスに所定の情報を送信する送信部８１（図５参照）を備えた態様を採用した場合には、管理者やオーナーは所定の情報を自己の管理するパソコン等でも閲覧することができ、いち早く、入金金額、入金日及び／又は入金時刻、認証情報、並びに、入金予定金額及び／又は入金予定金額と入金金額との差額のいずれか１つ以上について取得することができる。また、この場合には、管理者やオーナーは自己の管理するパソコン等で当該所定の情報を管理することもできる。
【００８３】
また、記録読取部７５による表示機能付き記録媒体３００への記録の有無が入金される有価媒体の回収元に応じて変更される態様を採用した場合には、表示機能付き記録媒体３００への記録を適切な運用で行うことができる。例えば、ショッピングセンター（図２参照）内に設置された直営店である場合等のように有価媒体の回収元が所定の権限下にある場合には、記録読取部７５による表示機能付き記録媒体３００への記録は行わず、有価媒体入金機１００に設置された小型の印字部から必要な情報を印字して紙で出力してもよい。なお、この場合には紙で印字を行っても印紙を貼る必要がない。他方、ショッピングセンター内に設置されたテナント店である場合等のように有価媒体の回収元が所定の権限下にない場合には、記録読取部７５による表示機能付き記録媒体３００への記録を行うようにすればよい。この場合には、既に述べた効果に加えて、紙で印字した場合に必要となる印紙の貼り付けが不要となることから節税効果を期待することができる。
【００８４】
また、入金処理が終了した後の所定時間の間（例えば数分の間）に記録読取部７５による表示機能付き記録媒体３００への所定の情報の記録が行われないときに、報知部としての操作表示部７１が当該所定の情報の記録が行われていない旨を表示し警告する態様を採用した場合には、入金者による表示機能付き記録媒体３００への所定の情報の記録を確実なものにすることを期待できる。
【００８５】
また、入金処理が終了した後の所定時間の間（例えば数分の間）に記録読取部７５による表示機能付き記録媒体３００への所定の情報の記録が行われないときに、記憶部８０で当該情報を記憶する態様を採用した場合には、仮に入金処理時に入金者による表示機能付き記録媒体３００への所定の情報の記録が行われないまま入金者が出納室を出て行った場合であっても、後々の機会で表示機能付き記録媒体３００に所定の情報を記録させることができる点で有益である。
【００８６】
また、表示機能付き記録媒体３００に入金される有価媒体の回収元又は入金者に関する認証情報が記録されている場合には、入金者が表示機能付き記録媒体３００を載置台７６に載置するだけで、有価媒体入金機１００が認証情報を自動で取得することができ、入金者が操作表示部７１から認証情報を手入力したり、認証用の専用記録媒体を読み取らせたりする必要がなくなる点で有益である。
【００８７】
また、表示機能付き記録媒体３００に売上金額に関する情報を記録させる外部記録部２６１（又は外部記録読取部）を有する第一外部端末２６０を採用した場合には、従来行われていたＰＯＳレジスタ２５０による（売上金が印字されている）ジャーナルの打ち出しが必要なくなり、入金者が当該ジャーナルを有価媒体入金機１００まで持参する必要なく、表示機能付き記録媒体３００だけを持参すればよくなる点で有益である。
【００８８】
また、表示機能付き記録媒体３００に記録された所定の情報を取得する第二外部端末２７０を採用した場合には（図１１参照）、表示機能付き記録媒体３００に記録された所定の情報を当該第二外部端末２７０で吸い上げ、当該所定の情報を集計したり編集したりする等して加工することができる。このため、従来行われていた管理者等の人によるデータの打ち込み作業が不要となり、さらにはこのような打ち込みによるミスが発生することを未然に防止することができる。
【００８９】
また、表示機能付き記録媒体３００が複数の取引に対する所定の情報を表示できる態様を採用した場合には、入金者及びその管理者が、必要に応じて、過去の履歴を表示機能付き記録媒体３００で確認することができる点で有益である。
【００９０】
ちなみに、本実施の形態によれば、入金された有価媒体を有価媒体入金機１００から警送会社が回収する際に回収に関する情報をジャーナルに印字する代わりに、記録読取部７５によって回収に関する情報を警送会社が所持する記録媒体に書き込むようにすることもできる。
【００９１】
第２の実施の形態
次に、本発明の第２の実施の形態について説明する。
【００９２】
第１の実施の形態では、有価媒体入金機１００及び有価媒体入金システムを用いた態様であったが、第２の実施の形態では、有価媒体を出金する出金部３１，５１をさらに備えた有価媒体入出金機４００、及び、当該有価媒体入出金機を用いた有価媒体入出金システムを用いた態様となっている。なお、本実施の形態では、出金部３１，５１は、紙幣、商品券等の紙葉類を出金するための紙葉類出金部３１と、硬貨を出金するための硬貨出金部５１と、を有している。
【００９３】
［紙葉類処理部］
より具体的には、本実施の形態の有価媒体入出金機４００の紙葉類処理部２０は、複数（図１３に示す態様では３つ）のリサイクル式紙葉類収納部３６（３６ａ〜３６ｃ）を有している。各リサイクル式紙葉類収納部３６は、正逆両方向に回転可能なドラム３６ｐをそれぞれ有しており、各ドラム３６ｐに一対のテープが巻き取られて収納される。紙葉類搬送部２３から各リサイクル式紙葉類収納部３６に送られた紙葉類は、一対のテープの間に挟まれた状態で、１枚ずつ順次ドラム３６ｐにより巻き取られる。他方、ドラム３６ｐを逆転させると、巻き取られた紙葉類が１枚ずつ紙葉類搬送部２３に送られる。このようにリサイクル式紙葉類収納部３６から紙葉類搬送部２３に繰り出された紙葉類は、紙葉類搬送部２３によって紙葉類出金部３１まで搬送され当該紙葉類出金部３１から出金可能となっている。ところで、各リサイクル式紙葉類収納部３６は上述のようなテープ式である必要はなく、例えば、各リサイクル式紙葉類収納部３６はスタッカ式（積層式）のものであってもよい。
【００９４】
なお本実施の形態では、リジェクト紙幣は上述した紙葉類出金部３１に搬送されることとなる。本実施の形態の紙葉類処理部２０は、この紙葉類出金部３１の他に、紙葉類処理部２０内に取り込まれた紙葉類のうち紙葉類収容カセット６１に収容されない紙葉類を紙葉類処理部２０の外部に返却する紙葉類返却口３３を備えている。この紙葉類返却口３３には、紙葉類保留部３５が設けられ、この紙葉類保留部３５には紙葉類搬送部２３から紙葉類が送られるようになっている。また、紙葉類返却口３３には開閉可能な扉３４が設けられている。紙葉類保留部３５にある紙葉類を返却する場合には、ロックが解除されて扉３４を開けることが可能となり、紙葉類保留部３５から紙葉類を取り出すことができるようになる。他方、紙葉類保留部３５にある紙葉類を紙葉類収容カセット６１に収納させる際には、この紙葉類収容カセット６１に設けられたステージが紙葉類保留部３５の一時保留板に載せられた紙葉類を迎えにいき、一時保留板が退避して紙葉類がステージ上に落下すると、ステージが下降し、当該ステージ上の紙葉類を上から押さえ部材で押さえ、その状態で、当該紙葉類が紙葉類収容カセット６１内に収容されることとなる。
【００９５】
［硬貨処理部］
本実施の形態の有価媒体入出金機４００の硬貨処理部４０は、筒状の上入れ上出しタイプからなり、複数（図１４に示す態様では６つ）のリサイクル式硬貨収納部５６（５６ａ〜５６ｆ）を有している。複数のリサイクル式硬貨収納部５６ａ〜５６ｆは、例えば金種別に硬貨を積層状態で一時的に収納できるようになっている。
【００９６】
本実施の形態の硬貨処理部４０は、硬貨受入部４１に連通し、硬貨受入部４１から受け入れられた硬貨を一時的に貯留するとともに、この貯留された硬貨を後述する硬貨搬送部４３に繰り出す硬貨繰出部５３を有している。
【００９７】
本実施の形態では、硬貨搬送部４３に７つの硬貨分岐部５９が設けられている。７つの硬貨分岐部５９のうち最も上流側にある硬貨分岐部５９（オーバーフロー用の硬貨分岐部５９）は、硬貨搬送部４３から後述する横方向搬送部５８に直接硬貨を送るために設けられている。また、上流側から２番目〜７番目の硬貨分岐部５９は、それぞれ各リサイクル式硬貨収納部５６ａ〜５６ｆに対応するものである。
【００９８】
各リサイクル式硬貨収納部５６の上部には、硬貨を一時的に保留する金種別硬貨一時保留部４６’が設けられている。７つの硬貨分岐部５９のうち最も上流側にある硬貨分岐部５９以外の各硬貨分岐部５９を介して硬貨搬送部４３から落下した硬貨は、まず金種別硬貨一時保留部４６’により一時的に保留されるようになっている。そして、入金者が例えば操作表示部７１に表示された確定ボタンを押下することで、この金種別硬貨一時保留部４６’に保留された硬貨が各リサイクル式硬貨収納部５６に収納されることとなる。また、この金種別硬貨一時保留部４６’は図示しない投出部材を有しており、この投出部材により、金種別硬貨一時保留部４６’に保留された硬貨を後述する横方向搬送部５８上に投出することもできるようになっている。一方、各リサイクル式硬貨収納部５６内に収納された硬貨がこのリサイクル式硬貨収納部５６から取り出される場合には、まずリサイクル式硬貨収納部５６の下部に設けられたステージ（図示せず）が上方に持ち上げられ、ステージ上の硬貨が金種別硬貨一時保留部４６’に送られ、この硬貨が金種別硬貨一時保留部４６’の投出部材により横方向搬送部５８上に投出されるようになっている。
【００９９】
硬貨処理部４０の内部には、略水平方向に延びる循環ベルト５８ａを有する横方向搬送部５８が設けられている。循環ベルト５８ａは図１４の時計回り及び反時計回りの両方に循環移動可能となっている。また、横方向搬送部５８の一端（図１４では左側の端部）は硬貨繰出部５３内に位置しており、横方向搬送部５８の他端（図１４では右側の端部）はシュート５７ｂの上部の近傍に位置している。循環ベルト５８ａが図１４における反時計回りに回転したときには、横方向搬送部５８上にある硬貨は硬貨繰出部５３に送られるようになっている。他方、循環ベルト５８ａが図１４における時計回りに回転したときには、横方向搬送部５８上にある硬貨はシュート５７ｂに送られ、当該シュート５７ｂ内を通過して硬貨保留部５７ａで保留されることとなる。この硬貨保留部５７ａに一時的に保留された硬貨は、貨幣収納部４０内に配置された硬貨収容カセット６６に送られるようになっている。
【０１００】
なお、リサイクル式硬貨収納部５６から繰り出され、金種別硬貨一時保留部４６’、横方向搬送部５８及び硬貨繰出部５３を経た硬貨は、硬貨繰出部５３から硬貨搬送部４３に繰り出され、当該硬貨搬送部４３から硬貨出金部５１に送られることで、出金されることとなる。
【０１０１】
第２の実施の形態において、その他の構成は、第１の実施の形態と略同一の態様となっている。第２の実施の形態において、第１の実施の形態と同一部分には同一符号を付して詳細な説明は省略する。
【０１０２】
本実施の形態でも、第１の実施の形態と同様の効果を奏することができる。第１の実施の形態で詳細に説明したことから、本実施の形態における効果の説明は、本実施の形態に固有の部分に留める。
【０１０３】
本実施の形態のように有価媒体処理装置が有価媒体入出金機４００である場合には、記録読取部７５が、上述した所定の情報（入金金額、入金日及び／又は入金時刻、認証情報、入金予定金額及び／又は入金予定金額と入金金額との差額に関する情報のいずれか１つ以上）の他に、出金部３１，５１から出金された有価媒体の出金金額に関する情報を表示機能付き記録媒体３００に記録してもよい。この場合には、表示機能付き記録媒体３００の媒体表示部３１０は、所定の情報の他に、有価媒体の出金金額に関する情報を表示することとなる。なお、このような態様に限られず、記録読取部７５が、出金部３１，５１から出金された有価媒体の出金金額に関する情報のみを表示機能付き記録媒体３００に記録し、表示機能付き記録媒体３００の媒体表示部３１０が有価媒体の出金金額に関する情報のみを表示してもよい。このような出金情報が表示機能付き記録媒体３００に表示されている場合には、実際に売り場やテナント店へ持ち帰られた現金と表示機能付き記録媒体３００の媒体表示部３１０に表示された出金金額とを照合することができ、出金者による不正を防止することができる。ちなみに、出金処理を行う際には誰が出金を行ったかは非常に重要な情報となることから、本実施の形態では、記録読取部７５が表示機能付き記録媒体３００に出金者に関する情報（例えば「担当者Ｎｏ．」）を記録し、表示機能付き記録媒体３００が当該出金者に関する情報を表示するようにしてもよい。
【０１０４】
表示機能付き記録媒体３００は、当該表示機能付き記録媒体３００に対する入金情報（いわゆる「チャージ金額」を含む情報）を記録可能となっていてもよい。この場合には、表示機能付き記録媒体３００に記録された入金情報が有価媒体入出金機４００のリーダライタ等の記録読取部７５で読みとられ、有価媒体入出金機４００の出金部３１，５１から、表示機能付き記録媒体３００に記録された入金金額以下の金額からなる貨幣を出金することができる。なお、このような態様を採用する場合には、記録媒体が表示機能付き記録媒体３００である必要は必ずしもなく、媒体表示部３１０を有さない記録媒体を用いることもできる。つまり、入金情報を記録可能となった記録媒体を用い、当該記録媒体に記録された入金情報を有価媒体入出金機４００のリーダライタ等の記録読取部７５で読みとらせ、有価媒体入出金機４００の出金部３１，５１から記録媒体に記録された入金金額以下の金額からなる有価媒体（典型的には貨幣）を出金するようにしてもよい。ところで、有価媒体（典型的には貨幣）が有価媒体入出金機４００から出金された場合には、記録媒体に対する当初の入金金額（いわゆる「チャージ金額」）から出金された金額を差し引いた金額が、当該記録媒体に記録されることとなる。
【０１０５】
上述したように、記録媒体に記録された入金情報を記録読取部７５で読みとらせることで、有価媒体入出金機４００の出金部３１，５１から有価媒体（典型的には貨幣）を出金する態様を採用した場合には、有価媒体（典型的には貨幣）を出金する前に両替用の有価媒体（典型的には貨幣）を持ち歩く必要がなくなることから、様々なトラブル（紛失、窃盗被害）等に巻き込まれる可能性を低減することができる点で有益である。
【０１０６】
最後になったが、上述した各実施の形態の記載及び図面の開示は、特許請求の範囲に記載された発明を説明するための一例に過ぎず、上述した実施の形態の記載又は図面の開示によって特許請求の範囲に記載された発明が限定されることはない。
【符号の説明】
【０１０７】
１１        筐体
２０        紙葉類処理部
２１        紙葉類受入部
２２        紙葉類繰出部
３０        紙葉類制御部
３１        紙葉類出金部
４０        硬貨処理部
４１        硬貨受入部
４２        硬貨繰出部
５０        硬貨制御部
５１        硬貨出金部
６０        収容部
６１        紙葉類収容カセット
６６        硬貨収容カセット
７０        本体制御部
７１        操作表示部（表示部）
７５        記録読取部（記録部）
８０        記憶部
８１        送信部
１００      有価媒体入金機
２００      貨幣釣銭機
２１０      硬貨釣銭機
２２０      紙幣釣銭機
２５０      ＰＯＳレジスタ
２６０      第一外部端末
２６１      外部記録部
２７０      第二外部端末
２７１      外部読取部
２７２      外部処理装置
３００      表示機能付き記録媒体
３１０      媒体表示部
４００      有価媒体入出金機
【図１】
2018028930.tif 000003
【図２】
2018028930.tif 000004
【図３】
2018028930.tif 000005
【図４】
2018028930.tif 000006
【図５】
2018028930.tif 000007
【図６】
2018028930.tif 000008
【図７】
2018028930.tif 000009
【図８】
2018028930.tif 000010
【図９】
2018028930.tif 000011
【図１０】
2018028930.tif 000012
【図１１】
2018028930.tif 000013
【図１２】
2018028930.tif 000014
【図１３】
2018028930.tif 000015
【図１４】
2018028930.tif 000016